(57)【要約】【課題】大型化及び高コスト化を招くことなく、複数種類の情報記録媒体に対応可能で、各情報記録媒体に最適な光スポットを形成することができる光ピックアップ装置を提供する。【解決手段】複数の光源５３、５４から出射された各光束は、光学素子５２で略平行光とされた後、対物レンズ６０を介して対応する情報記録媒体の記録面に集光される。ここでは、光学素子に入射する各光束は、波長が短いほどその発散角が大きいために、波長が短い光束では、対物レンズで集光される光束の光強度分布がほぼ均一となり、波長が長い光束では、その大部分が対物レンズで集光されることとなる。すなわち、対物レンズに取り込まれる光束のＲＩＭをその波長での理想値に近づけることが可能となる。【選択図】　図２
2004095039.tif 000002
【特許請求の範囲】
【請求項１】
複数種類の情報記録媒体の記録面上に光を照射し、前記記録面からの反射光を受光する光ピックアップ装置であって、
前記複数の情報記録媒体に個別に対応して設けられ、波長の異なる光束を択一的に出射する複数の光源と；
前記各光束を対応する情報記録媒体の記録面に集光する対物レンズと、前記複数の光源から出射され前記対物レンズに向かう各光束を略平行光とする光学素子とを含み、前記記録面で反射された戻り光束を所定の受光位置まで導く光学系と；
前記受光位置に配置され、前記戻り光束を受光する光検出器と；を備え、
前記光学素子に入射する各光束は、波長が短いほどその発散角が大きいことを特徴とする光ピックアップ装置。
【請求項２】
前記対物レンズで集光される前記各光束は、その波長が短いほど前記対物レンズの入射瞳中の最大強度に対する瞳端部における強度の比であるリム強度が大きいことを特徴とする請求項１に記載の光ピックアップ装置。
【請求項３】
前記リム強度は、１０％以上でありかつ７０％以下であることを特徴とする請求項２に記載の光ピックアップ装置。
【請求項４】
前記複数の光源から出射される各光束は、波長が短いほどその発散角が大きいことを特徴とする請求項１〜３のいずれか一項に記載の光ピックアップ装置。
【請求項５】
前記複数の光源から出射される各光束は、その最大強度出射方向の断面における光強度分布が楕円形状の発散光であり、その波長が短いほど前記楕円の短軸を含む面での発散角が大きいことを特徴とする請求項１〜４のいずれか一項に記載の光ピックアップ装置。
【請求項６】
前記光学系は、前記複数の光源のうちの少なくとも１つの光源から出射され前記光学素子に向かう光束の発散角を調整する調整光学素子を含むことを特徴とする請求項１〜５のいずれか一項に記載の光ピックアップ装置。
【請求項７】
前記調整光学素子は、波長選択性を有することを特徴とする請求項６に記載の光ピックアップ装置。
【請求項８】
前記複数の光源は、第１の波長の光束を第１の光束として出射する第１の光源と、前記第１の波長よりも長い第２の波長の光束を第２の光束として出射する第２の光源とを含み、
前記第１の光束及び第２の光束は、その最大強度出射方向の断面における光強度分布が楕円形状の発散光であり、
前記調整光学素子は、前記第１の光束の光強度分布がほぼ円形状となるように前記楕円の短軸を含む面での発散角を拡大する第１の調整光学素子と、前記第２の光束の光強度分布がほぼ円形状となるように前記楕円の長軸を含む面での発散角を縮小する第２の調整光学素子とを含むことを特徴とする請求項７に記載の光ピックアップ装置。
【請求項９】
前記第１の調整光学素子と前記第２の調整光学素子とは、互いに積層され一体化されていることを特徴とする請求項８に記載の光ピックアップ装置。
【請求項１０】
前記調整光学素子は、印加電圧に応じて発散角の調整作用が変化することを特徴とする請求項６に記載の光ピックアップ装置。
【請求項１１】
前記光学系は、前記複数の光源と前記光学素子との間に配置され前記戻り光束を往路と復路の共通光路上から分岐する分岐光学素子を含み、
前記調整光学素子は、前記分岐光学素子と前記光学素子との間に配置されていることを特徴とする請求項６〜１０のいずれか一項に記載の光ピックアップ装置。
【請求項１２】
複数種類の情報記録媒体に対して、情報の記録、再生、及び消去のうち少なくとも再生を行なう光ディスク装置であって、
請求項１〜１１のいずれか一項に記載の光ピックアップ装置と；
前記光ピックアップ装置からの出力信号を用いて、前記情報の記録、再生、及び消去のうち少なくとも再生を行なう処理装置と；を備える光ディスク装置。
【発明の詳細な説明】
【０００１】
【発明の属する技術分野】
本発明は光ピックアップ装置及び光ディスク装置に係り、さらに詳しくは、複数種類の情報記録媒体の記録面に光を照射し、その記録面からの反射光を受光する光ピックアップ装置及び該光ピックアップ装置を備えた光ディスク装置に関する。
【０００２】
【従来の技術】
光ディスク装置では、光ディスクなどの情報記録媒体が用いられ、そのスパイラル状又は同心円状のトラックが形成された記録面にレーザ光を照射することにより情報の記録及び消去を行い、記録面からの反射光に基づいて情報の再生などを行っている。そして、光ディスク装置には、情報記録媒体の記録面にレーザ光を照射して光スポットを形成するとともに、記録面からの反射光を受光するための装置として、光ピックアップ装置を備えている。
【０００３】
通常、光ピックアップ装置は、対物レンズを含み、光源から出射される光束を情報記録媒体の記録面に導くとともに、記録面で反射された戻り光束を所定の受光位置まで導く光学系、及び受光位置に配置された受光素子などを備えている。この受光素子からは、記録面に記録されているデータの再生情報だけでなく、光ピックアップ装置自体及び対物レンズの位置制御などに必要な情報（サーボ制御情報）を含む信号が出力される。
【０００４】
近年、情報記録媒体として、記録容量がＣＤ（Ｃｏｍｐａｃｔ　Ｄｉｓｃ）よりも飛躍的に大きなＤＶＤ（Ｄｉｇｉｔａｌ　Ｖｅｒｓａｔｉｌｅ　Ｄｉｓｃ）が一般化されてきた。ＣＤに対して記録及び再生を行なうには、波長が７８５ｎｍのレーザ光が用いられ、ＤＶＤに対して記録及び再生を行なうには、波長が６６０ｎｍのレーザ光が用いられるため、従来は、ＣＤ用の光ディスク装置とＤＶＤ用の光ディスク装置とがそれぞれ独立して、パーソナルコンピュータなどの情報機器の周辺機器として用いられていた。
【０００５】
その後、上記情報機器の小型軽量化に伴い、ＣＤとＤＶＤの両方をアクセスできる光ディスク装置の必要性が高まってきた。この場合、ＤＶＤとＣＤの両方に対応するために、光ピックアップ装置は、光源として、波長が６６０ｎｍのレーザ光を出射する半導体レーザ（以下、「ＤＶＤ光源」ともいう）と波長が７８５ｎｍのレーザ光を出射する半導体レーザ（以下、「ＣＤ光源」ともいう）とが必要であり、さらにそれぞれのレーザ光を検出するための光学系が必要である。しかしながら、６６０ｎｍ用の光学系と７８５ｎｍ用の光学系とをそれぞれ個別に配置すると、光ピックアップ装置が大型化してしまうという不都合があった。以下では、２つの異なる波長の光源を備えた光ピックアップ装置を「２波長光ピックアップ装置」ともいう。
【０００６】
そこで、例えば、特許第３０２６２７９号公報には、互いに波長が異なるレーザ光を出力する２つのレーザ素子が一体に集積されたＬＤモジュールを備え、かつ各波長の戻り光束に対して受光素子を共用化した記録再生装置用レーザモジュールが開示されている。このレーザモジュールを用いた光ピックアップ装置では、光学系の共用化及び光学部品点数の削減が可能となり、部品組み付けの簡易化、低コスト化及び小型化が促進された。
【０００７】
一般的に、光源として用いられる半導体レーザから出射される光束（以下、「出射光束」ともいう）は、一例として図１４に示されるように、半導体レーザＬＤの活性層（ヘテロ接合面）ＡＬに対して垂直な方向を長軸方向とする楕円形の強度分布を持つ発散光である。そして、出射光束のうちで対物レンズに取り込まれ、情報記録媒体の記録面に集光される光束（以下、「取込光束」ともいう）の割合は、対物レンズの入射瞳中の最大強度に対する瞳端部における強度の比で示され、リム強度と呼ばれている。例えばリム強度＝５０％の場合の取込光束の一例が図１５に示されている。そして、出射光束の光量に対する記録面での光量の割合、すなわち光利用効率は、一例として図１６に示されるように、リム強度とほぼ反比例の関係にある。すなわち、リム強度が高くなるように設計すれば光利用効率が低下し、光利用効率が高くなるように設計すればリム強度が低くなる。
【０００８】
【発明が解決しようとする課題】
通常、ＣＤ光源からの出射光束に対するリム強度は、ＤＶＤ光源からの出射光束に対するリム強度に比べて低く設計されている。これは、ＤＶＤでは記録密度が高いために光スポットのスポット径を正確に制御する必要があり、一方、ＣＤでは光利用効率を高めることが重要視されるためである。
【０００９】
しかしながら、上記特許第３０２６２７９号公報のレーザモジュールを用いた光ピックアップ装置では、ＣＤ光源からの出射光束に対するリム強度とＤＶＤ光源からの出射光束に対するリム強度とが等しくなるために、例えば光学系をＤＶＤに対して最適化すると、ＣＤにおける光利用効率が低下し、アクセス速度の高速化に対応するのが困難であるという不都合があった。一方、光学系をＣＤに対して最適化すると、ＤＶＤにおける光スポットのスポット径を正確に制御することが困難であるという不都合があった。
【００１０】
本発明は、かかる事情の下になされたもので、その第１の目的は、大型化及び高コスト化を招くことなく、複数種類の情報記録媒体に対応可能で、各情報記録媒体に最適な光スポットを形成することができる光ピックアップ装置を提供することにある。
【００１１】
また、本発明の第２の目的は、複数種類の情報記録媒体に対応可能で、高速度でのアクセスを安定して行うことができる光ディスク装置を提供することにある。
【００１２】
【課題を解決するための手段】
請求項１に記載の発明は、複数種類の情報記録媒体の記録面上に光を照射し、前記記録面からの反射光を受光する光ピックアップ装置であって、前記複数の情報記録媒体に個別に対応して設けられ、波長の異なる光束を択一的に出射する複数の光源と；前記各光束を対応する情報記録媒体の記録面に集光する対物レンズと、前記複数の光源から出射され前記対物レンズに向かう各光束を略平行光とする光学素子とを含み、前記記録面で反射された戻り光束を所定の受光位置まで導く光学系と；前記受光位置に配置され、前記戻り光束を受光する光検出器と；を備え、前記光学素子に入射する各光束は、波長が短いほどその発散角が大きいことを特徴とする光ピックアップ装置である。
【００１３】
これによれば、複数の光源から択一的に出射された各光束は、光学素子で略平行光とされた後、対物レンズを介して対応する情報記録媒体の記録面に集光される。通常、光束の波長が短いほど対応する情報記録媒体の記録密度が高く、対物レンズでは光スポットをより小さく絞る必要がある。このためには、できるだけ光強度が一様であることが望ましい。一方、情報記録媒体の記録密度があまり高くない場合には、アクセス速度を上げることが重要視され、そのために光源から出射される光束の大部分が対物レンズで集光されることが望ましい。ここでは、光学素子に入射する各光束は、波長が短いほどその発散角が大きいために、波長が短い光束では、対物レンズで集光される光束の光強度がほぼ一様となり、波長が長い光束では、その大部分が対物レンズで集光されることとなる。すなわち、対物レンズに取り込まれる光束のリム強度をその波長での理想値に近づけることができる。また、複数の光源から出射される各光束に対して対物レンズを共通化しているため、光ピックアップ装置の小型化及び低コスト化を促進することができるとともに、組み付け工程及び調整工程を簡略化することが可能となる。従って、大型化及び高コスト化を招くことなく、複数種類の情報記録媒体に対応可能で、各情報記録媒体に最適な光スポットを形成することが可能となる。
【００１４】
この場合において、請求項２に記載の光ピックアップ装置の如く、前記対物レンズで集光される前記各光束は、その波長が短いほど前記対物レンズの入射瞳中の最大強度に対する瞳端部における強度の比であるリム強度が大きいこととすることができる。
【００１５】
この場合において、請求項３に記載の光ピックアップ装置の如く、前記リム強度は、１０％以上でありかつ７０％以下であることとすることができる。
【００１６】
上記請求項１〜３に記載の各光ピックアップ装置において、請求項４に記載の光ピックアップ装置の如く、前記複数の光源から出射される各光束は、波長が短いほどその発散角が大きいこととすることができる。かかる場合には、例えば光源から出射される光束の発散角を調整せずに、波長が短いほどその発散角が大きい光束を光学素子に入射することが可能となる。
【００１７】
上記請求項１〜４に記載の各光ピックアップ装置において、請求項５に記載の光ピックアップ装置の如く、前記複数の光源から出射される各光束は、その最大強度出射方向の断面における光強度分布が楕円形状の発散光であり、その波長が短いほど前記楕円の短軸を含む面での発散角が大きいこととすることができる。かかる場合には、波長に応じたリム強度を確保することが可能となる。
【００１８】
上記請求項１〜５に記載の各光ピックアップ装置において、請求項６に記載の光ピックアップ装置の如く、前記光学系は、前記複数の光源のうちの少なくとも１つの光源から出射され前記光学素子に向かう光束の発散角を調整する調整光学素子を含むこととすることができる。かかる場合には、光源から出射される光束の発散角は調整光学素子で調整されるため、汎用の安価な光源を用いることが可能となる。
【００１９】
この場合において、請求項７に記載の光ピックアップ装置の如く、前記調整光学素子は、波長選択性を有することとすることができる。かかる場合には、調整光学素子の配置位置に関する許容誤差が大きくなり、組み付け作業及び調整作業を簡素化することが可能となる。すなわち、作業コストを低減することができる。
【００２０】
この場合において、請求項８に記載の光ピックアップ装置の如く、前記複数の光源が、第１の波長の光束を第１の光束として出射する第１の光源と、前記第１の波長よりも長い第２の波長の光束を第２の光束として出射する第２の光源とを含む場合に、前記第１の光束及び第２の光束が、その最大強度出射方向の断面における光強度分布が楕円形状の発散光であるとき、前記調整光学素子は、前記第１の光束の光強度分布がほぼ円形状となるように前記楕円の短軸を含む面での発散角を拡大する第１の調整光学素子と、前記第２の光束の光強度分布がほぼ円形状となるように前記楕円の長軸を含む面での発散角を縮小する第２の調整光学素子とを含むこととすることができる。かかる場合には、波長に応じたリム強度を確保することができるとともに、各光束をほぼ理想とするスポット径に絞ることが可能となる。
【００２１】
この場合において、請求項９に記載の光ピックアップ装置の如く、前記第１の調整光学素子と前記第２の調整光学素子とは、互いに積層され一体化されていることとすることができる。かかる場合には、組み付け時の部品点数が減少し、組み付け作業及び調整作業を簡素化することができ、作業コストを低減することが可能となる。
【００２２】
上記請求項６に記載の光ピックアップ装置において、請求項１０に記載の光ピックアップ装置の如く、前記調整光学素子は、印加電圧に応じて発散角の調整作用が変化することとすることができる。かかる場合には、例えば印加電圧を制御することにより、１つの調整光学素子を用いて、波長の異なる複数の光束に対してそれぞれの発散角を最適な角度に調整することができる。
【００２３】
上記請求項６〜１０に記載の各光ピックアップ装置において、請求項１１に記載の光ピックアップ装置の如く、前記光学系が、前記複数の光源と前記光学素子との間に配置され前記戻り光束を往路と復路の共通光路上から分岐する分岐光学素子を含む場合に、前記調整光学素子は、前記分岐光学素子と前記光学素子との間に配置されていることとすることができる。かかる場合には、分岐光学素子で分岐された戻り光束が調整光学素子で干渉されることを防止できる。従って、光検出器から出力される信号を安定させることが可能となる。
【００２４】
請求項１２に記載の発明は、複数種類の情報記録媒体に対して、情報の記録、再生、及び消去のうち少なくとも再生を行なう光ディスク装置であって、請求項１〜１１のいずれか一項に記載の光ピックアップ装置と；前記光ピックアップ装置からの出力信号を用いて、前記情報の記録、再生、及び消去のうち少なくとも再生を行なう処理装置と；を備える光ディスク装置である。
【００２５】
これによれば、請求項１〜１１のいずれか一項に記載の光ピックアップ装置を備えているために、複数種類の情報記録媒体に対して、各情報記録媒体に最適な光スポットを形成することができ、結果として、複数種類の情報記録媒体に対応可能で、高速度での記録、再生及び消去のうち少なくとも再生を含むアクセスを安定して行うことが可能となる。
【００２６】
【発明の実施の形態】
以下、本発明の一実施形態を図１〜図９に基づいて説明する。
【００２７】
図１には、本発明に係る光ピックアップ装置を備える一実施形態に係る光ディスク装置の概略構成が示されている。
【００２８】
この図１に示される光ディスク装置２０は、情報記録媒体としての光ディスク１５を回転駆動するためのスピンドルモータ２２、光ピックアップ装置２３、レーザコントロール回路２４、エンコーダ２５、ドライバ２７、再生信号処理回路２８、サーボコントローラ３３、バッファＲＡＭ３４、バッファマネージャ３７、インターフェース３８、ＲＯＭ３９、ＣＰＵ４０及びＲＡＭ４１などを備えている。なお、図１における矢印は、代表的な信号や情報の流れを示すものであり、各ブロックの接続関係の全てを表すものではない。また、本実施形態では、光ディスク装置２０は、ＣＤ及びＤＶＤの２種類の情報記録媒体に対応可能であるものとする。
【００２９】
前記光ピックアップ装置２３は、光ディスク１５のスパイラル状又は同心円状のトラックが形成された記録面にレーザ光を照射するとともに、記録面からの反射光を受光するための装置である。なお、この光ピックアップ装置２３の構成等については後に詳述する。
【００３０】
図１に戻り、前記再生信号処理回路２８は、光ピックアップ装置２３の出力信号である電流信号を電圧信号に変換し、該電圧信号に基づいてウォブル信号、ＲＦ信号及びサーボ信号（フォーカスエラー信号、トラックエラー信号）などを検出する。そして、再生信号処理回路２８は、ウォブル信号からアドレス情報及び同期信号等を抽出する。ここで抽出されたアドレス情報はＣＰＵ４０に出力され、同期信号はエンコーダ２５に出力される。さらに、再生信号処理回路２８は、ＲＦ信号に対して誤り訂正処理等を行なった後、バッファマネージャ３７を介してバッファＲＡＭ３４に格納する。また、サーボ信号は再生信号処理回路２８からサーボコントローラ３３に出力される。
【００３１】
前記サーボコントローラ３３は、サーボ信号に基づいて光ピックアップ装置２３を制御する制御信号を生成し、ドライバ２７に出力する。
【００３２】
前記バッファマネージャ３７は、バッファＲＡＭ３４へのデータの入出力を管理し、蓄積されたデータ量が所定の値になると、ＣＰＵ４０に通知する。
【００３３】
前記ドライバ２７は、サーボコントローラ３３からの制御信号及びＣＰＵ４０の指示に基づいて、光ピックアップ装置２３及びスピンドルモータ２２を制御する。
【００３４】
前記エンコーダ２５は、ＣＰＵ４０の指示に基づいて、バッファＲＡＭ３４に蓄積されているデータをバッファマネージャ３７を介して取り出し、エラー訂正コードの付加などを行ない、光ディスク１５への書き込み信号を作成する。そして、エンコーダ２５は、ＣＰＵ４０からの指示に基づいて、再生信号処理回路２８からの同期信号に同期して、書き込み信号をレーザコントロール回路２４に出力する。
【００３５】
前記レーザコントロール回路２４は、エンコーダ２５からの書き込み信号に基づいて、光ピックアップ装置２３からのレーザ光出力を制御する。なお、レーザコントロール回路２４は、ＣＰＵ４０の指示に基づいて後述する光ピックアップ装置２３の２つの光源の一方を制御対象とする。
【００３６】
前記インターフェース３８は、ホスト（例えば、パーソナルコンピュータ）との双方向の通信インターフェースであり、ＡＴＡＰＩ（ＡＴ　Ａｔｔａｃｈｍｅｎｔ　Ｐａｃｋｅｔ　Ｉｎｔｅｒｆａｃｅ）及びＳＣＳＩ（Ｓｍａｌｌ　Ｃｏｍｐｕｔｅｒ　Ｓｙｓｔｅｍ　Ｉｎｔｅｒｆａｃｅ）等の標準インターフェースに準拠している。
【００３７】
前記ＲＯＭ３９には、ＣＰＵ４０にて解読可能なコードで記述されたプログラムが格納されている。そして、ＣＰＵ４０は、ＲＯＭ３９に格納されているプログラムに従って上記各部の動作を制御するとともに、制御に必要なデータ等を一時的にＲＡＭ４１に保存する。
【００３８】
次に、前記光ピックアップ装置２３の構成等について図２（Ａ）及び図２（Ｂ）に基づいて説明する。
【００３９】
光ピックアップ装置２３は、図２（Ａ）に示されるように、波長が６６０ｎｍのレーザ光及び波長が７８５ｎｍのレーザ光をそれぞれ択一的に出射するとともに、光ディスク１５の記録面からの戻り光束を受光する受発光モジュールＬＭ、第１の発散角調整素子Ｍ１、第２の発散角調整素子Ｍ２、カップリングレンズ５２、対物レンズ６０及び駆動系（フォーカシングアクチュエータ、トラッキングアクチュエータ及びシークモータ）（いずれも図示省略）などを備えている。
【００４０】
受発光モジュールＬＭは、一例として図２（Ｂ）に示されるように、波長が６６０ｎｍのレーザ光を出射する第１の半導体レーザ５３、及び波長が７８５ｎｍのレーザ光を出射する第２の半導体レーザ５４などを備える発光部ＥＬと、光ディスク１５の記録面からの戻り光束を分岐する分岐光学素子としてのホログラム６１及び該ホログラム６１で分岐された戻り光束を受光する光検出器としての受光素子５９などを備える受光部ＲＬとを含んで構成されている。第１の半導体レーザ５３は光ディスク１５がＤＶＤの場合に選択され、第２の半導体レーザ５４は光ディスク１５がＣＤの場合に選択される。本実施形態では、各半導体レーザから出射される光束の最大強度出射方向を−Ｚ方向とする。
【００４１】
本実施形態では、第１の半導体レーザ５３及び第２の半導体レーザ５４は、一例として図３に示されるように、その活性層ＡＬ１、ＡＬ２がＸＺ面に平行となるように配置されているものとする。従って、各半導体レーザから出射される光束は、Ｙ軸方向を長軸方向とする楕円形の光強度分布を持つ発散光である。すなわち、第１の半導体レーザ５３から出射される光束（以下、便宜上「第１の出射光束」ともいう）は、一例として図４（Ａ）及び図４（Ｂ）に示されるように、ＹＺ面内での発散角θ１ＹとＸＺ面内での発散角θ１Ｚとは同一ではなく、θ１Ｙ＞θ１Ｚの関係にある。同様に、第２の半導体レーザ５４から出射される光束（以下、便宜上「第２の出射光束」ともいう）も、一例として図５（Ａ）及び図５（Ｂ）に示されるように、ＹＺ面内での発散角（θ２Ｙとする）とＸＺ面内での発散角（θ２Ｚとする）とは同一ではなく、θ２Ｙ＞θ２Ｚの関係にある。
【００４２】
図２（Ｂ）に戻り、各半導体レーザの−Ｚ側には出射窓に固定された前記ホログラム６１が配置されている。前記受光器５９は、従来と同様に、ウォブル信号、再生信号及びサーボ信号などを検出するのに最適な信号を出力する複数の受光素子を含んでいる。
【００４３】
図２（Ａ）に戻り、受発光モジュールＬＭの−Ｚ側には、前記第１の発散角調整素子Ｍ１が配置されている。この第１の発散角調整素子Ｍ１は、波長選択性を有し、第１の出射光束の発散角を選択的に調整する。
【００４４】
第１の発散角調整素子Ｍ１の−Ｚ側には、前記第２の発散角調整素子Ｍ２が配置されている。この第２の発散角調整素子Ｍ２は、波長選択性を有し、第２の出射光束の発散角を選択的に調整する。第１の発散角調整素子Ｍ１及び第２の発散角調整素子Ｍ２としては、例えば高分子液晶のように屈折率が波長によって異なる材料を硝材とする光学素子が用いられる。
【００４５】
ここで、カップリングレンズ５２の焦点距離をｆｃｌとすると、カップリングレンズ５２を透過した第１の出射光束のビーム径φｄｖｄは、図６に示されるように、次の（１）式で求めることができる。ここで、θ１は、カップリングレンズ５２に入射する第１の出射光束の発散角である。
【００４６】
φｄｖｄ＝２×ｆｃｌ×ｓｉｎ（θ１／２）　……（１）
【００４７】
また、カップリングレンズ５２を透過した第２の出射光束のビーム径φｃｄは、次の（２）式で求めることができる。ここで、θ２は、カップリングレンズ５２に入射する第２の出射光束の発散角である。
【００４８】
φｃｄ＝２×ｆｃｌ×ｓｉｎ（θ２／２）　……（２）
【００４９】
一例として図７に示されるように、カップリングレンズ５２に入射する光束の発散角とリム強度との間には相関関係があり、発散角が大きくなるとリム強度は高くなる。そこで、ＤＶＤの場合のリム強度をＣＤの場合のリム強度よりも高く、言い換えると、ＤＶＤの場合よりもＣＤの場合の光利用効率を高く設計するには、次の（３）式を満足する必要がある。
【００５０】
φｄｖｄ＞φｃｄ　……（３）
【００５１】
すなわち、次の（４）式を満足する必要がある。
【００５２】
θ１＞θ２　……（４）
【００５３】
ここで、例えばＤＶＤの場合のリム強度を３０％（光利用効率＝約４５％）、ＣＤの場合のリム強度を１５％（光利用効率＝約５０％）とするには、一例としてカップリングレンズ５２の焦点距離ｆｃｌが１１ｍｍであれば、θ１は１１度、θ２は７．７度となる。
【００５４】
なお、本実施形態では一例として、図８（Ａ）に示されるように、第１の発散角調整素子Ｍ１がない場合に、第１の出射光束のうち対物レンズ６０に取り込まれる光束Ｂｄｖｄは、Ｙ軸方向に関してはほぼリム強度＝３０％であるが、Ｘ軸方向に関してはリム強度＜３０％であるものとする。また、図８（Ｂ）に示されるように、第２の発散角調整素子Ｍ２がない場合に、第２の出射光束のうち対物レンズ６０に取り込まれる光束Ｂｃｄは、Ｘ軸方向に関してはほぼリム強度＝１５％であるが、Ｙ軸方向に関してはリム強度＞１５％であるものとする。
【００５５】
そこで、第１の発散角調整素子Ｍ１は、第１の出射光束のＸＺ面内における発散角θ１Ｚを（θ１Ｙ／θ１Ｚ）倍（＞１）にする。これにより、図９（Ａ）に示されるように、第１の発散角調整素子Ｍ１を透過した第１の出射光束のＸＺ面内における発散角は、発散角θ１Ｚよりも大きくなり、ＹＺ面内における発散角θ１Ｙとほぼ等しくなる。そして、対物レンズ６０に取り込まれる光束は、Ｘ軸方向に関してもほぼリム強度＝３０％となる。
【００５６】
また、第２の発散角調整素子Ｍ２は、第２の出射光束のＹＺ面内における発散角θ２Ｙを（θ２Ｚ／θ２Ｙ）倍（＜１）にする。これにより、図９（Ｂ）に示されるように、第２の発散角調整素子Ｍ２を透過した第２の出射光束のＹＺ面内における発散角は、発散角θ２Ｙよりも小さくなり、ＸＺ面内における発散角θ２Ｚとほぼ等しくなる。そして、対物レンズ６０に取り込まれる光束は、Ｙ軸方向に関してもほぼリム強度＝１５％となる。
【００５７】
前記カップリングレンズ５２は、第２の発散角調整素子Ｍ２の−Ｚ側に配置され、第１の出射光束及び第２の出射光束をそれぞれ略平行光とする。カップリングレンズ５２の−Ｚ側には前記対物レンズ６０が配置されている。この対物レンズ６０は、カップリングレンズ５２を透過した光束を集光し、光ディスク１５の記録面上に光スポットを形成する。
【００５８】
上記のように構成される光ピックアップ装置２３の作用を説明する。先ず、光ディスク１５がＤＶＤの場合について説明する。
【００５９】
第１の半導体レーザ５３から出射された光束は、ホログラム６１に入射する。このホログラム６１を透過した光束は、第１の発散角調整素子Ｍ１にてＸＺ面における発散角が拡大される。この光束は、第２の発散角調整素子Ｍ２をそのまま透過し、カップリングレンズ５２で略平行光となった後、対物レンズ６０を介して光ディスク１５の記録面に微小スポットとして集光される。
【００６０】
光ディスク１５の記録面で反射した反射光は、戻り光束として対物レンズ６０で再び略平行光とされる。この戻り光束は、コリメートレンズ５２を透過した後、第２の発散角調整素子Ｍ２及び第１の発散角調整素子Ｍ１を介してホログラム６１に入射する。このホログラム６１で回折された戻り光束は受光器５９で受光される。受光器５９を構成する各受光素子は、受光量に応じた電流信号をそれぞれ再生信号処理回路２８に出力する。
【００６１】
次に、光ディスク１５がＣＤの場合について説明する。第２の半導体レーザ５４から出射された光束は、ホログラム６１に入射する。このホログラム６１を透過した光束は、第１の発散角調整素子Ｍ１をそのまま透過し、第２の発散角調整素子Ｍ２に入射する。この光束は第２の発散角調整素子Ｍ２にてＹＺ面における発散角が縮小され、カップリングレンズ５２で略平行光となった後、対物レンズ６０を介して光ディスク１５の記録面に微小スポットとして集光される。
【００６２】
光ディスク１５の記録面で反射した反射光は、戻り光束として対物レンズ６０で再び略平行光とされる。この戻り光束は、コリメートレンズ５２を透過した後、第２の発散角調整素子Ｍ２及び第１の発散角調整素子Ｍ１を介してホログラム６１に入射する。このホログラム６１で回折された戻り光束は受光器５９で受光される。受光器５９を構成する各受光素子は、受光量に応じた電流信号をそれぞれ再生信号処理回路２８に出力する。
【００６３】
また、光ディスク１５がＣＤであるかＤＶＤであるかは、その記録面からの反射光の強度から判別することができる。通常、この判別は光ディスク１５が光ディスク装置２０の所定位置に挿入されたとき、すなわちローディング時に行われる。また、光ディスク１５に予め記録されているＴＯＣ（Ｔａｂｌｅ　Ｏｆ　Ｃｏｎｔｅｎｔｓ）情報、ＰＭＡ（Ｐｒｏｇｒａｍ　Ｍｅｍｏｒｙ　Ａｒｅａ）情報及びウォブル信号などに基づいて光ディスク１５の種類を判別することも可能である。そして、その判別結果はレーザコントロール回路２４に通知され、レーザコントロール回路２４によって、第１の半導体レーザ５３及び第２の半導体レーザ５４のいずれか一方が選択される。
【００６４】
次に、前述の光ディスク装置２０を用いて、光ディスク１５にデータを記録する場合の処理動作について簡単に説明する。なお、半導体レーザの選択は上述の如くして、すでに行われているものとする。
【００６５】
ＣＰＵ４０はホストから記録要求のコマンドを受信すると、記録速度に基づいてスピンドルモータ２２の回転を制御するための制御信号をドライバ２７に出力するとともに、ホストから記録要求のコマンドを受信した旨を再生信号処理回路２８に通知する。また、ＣＰＵ４０はホストから受信したデータをバッファマネージャ３７を介してバッファＲＡＭ３４に蓄積する。
【００６６】
光ディスク１５の回転が所定の線速度に達すると、再生信号処理回路２８は、受光器５９の出力信号に基づいて、トラックエラー信号及びフォーカスエラー信号を検出し、サーボコントローラ３３に出力する。サーボコントローラ３３では、再生信号処理回路２８からのトラックエラー信号及びフォーカスエラー信号に基づいて、ドライバ２７を介して光ピックアップ装置２３のトラッキングアクチュエータ及びフォーカシングアクチュエータを駆動する。すなわち、トラックずれ及びフォーカスずれを補正する。
【００６７】
再生信号処理回路２８は、受光器５９の出力信号に基づいてアドレス情報を取得し、ＣＰＵ４０に通知する。そして、ＣＰＵ４０はそのアドレス情報に基づいて、指定された書き込み開始地点に光ピックアップ装置２３が位置するように光ピックアップ装置２３のシークモータを制御する制御信号をドライバ２７に出力する。
【００６８】
ＣＰＵ４０はバッファマネージャ３７からバッファＲＡＭ３４に蓄積されたデータ量が所定の値を超えたとの通知を受けると、エンコーダ２５に書き込み信号の作成を指示する。また、ＣＰＵ４０はアドレス情報に基づいて光ピックアップ装置２３の位置が書き込み開始地点であると判断すると、エンコーダ２５に通知する。そして、エンコーダ２５はレーザコントロール回路２４及び光ピックアップ装置２３を介して、書き込み信号を光ディスク１５に記録する。
【００６９】
次に、前述した光ディスク装置２０を用いて、光ディスク１５に記録されているデータを再生する場合の処理動作について簡単に説明する。なお、半導体レーザの選択は上述の如くして、すでに行われているものとする。
【００７０】
ＣＰＵ４０はホストから再生要求のコマンドを受信すると、再生速度に基づいてスピンドルモータ２２の回転を制御するための制御信号をドライバ２７に出力するとともに、ホストから再生要求のコマンドを受信した旨を再生信号処理回路２８に通知する。そして、光ディスク１５の回転が所定の線速度に達すると、上記記録処理の場合と同様に、対物レンズ６０のトラッキング制御及びフォーカス制御が行われる。また、再生信号処理回路２８は上記記録処理の場合と同様に、アドレス情報を検出し、ＣＰＵ４０に通知する。
【００７１】
ＣＰＵ４０はアドレス情報に基づいて、指定された読み込み開始地点に光ピックアップ装置２３が位置するようにシークモータを制御する制御信号をドライバ２７に出力する。ＣＰＵ４０はアドレス情報に基づいて、光ピックアップ装置２３の位置が読み込み開始地点であると判断すると、再生信号処理回路２８に通知する。
【００７２】
そして、再生信号処理回路２８は、光ピックアップ装置２３の出力信号に基づいてＲＦ信号を検出し、誤り訂正処理等を行った後、バッファＲＡＭ３４に蓄積する。バッファマネージャ３７は、バッファＲＡＭ３４に蓄積された再生データがセクタデータとして揃ったときに、インターフェース３８を介してホストに転送する。
【００７３】
なお、記録処理及び再生処理が終了するまで、再生信号処理回路２８は、上述した如く、光ピックアップ装置２３からの出力信号に基づいてフォーカスエラー信号及びトラックエラー信号を検出し、サーボコントローラ３３及びドライバ２７を介してフォーカスずれ及びトラックずれを随時補正する。
【００７４】
以上の説明から明らかなように、本実施形態に係る光ディスク装置では、再生信号処理回路２８とＣＰＵ４０及び該ＣＰＵ４０によって実行されるプログラムとによって、処理装置が実現されている。しかしながら、本発明がこれに限定されるものではないことは勿論である。すなわち、上記実施形態は一例に過ぎず、上記のＣＰＵ４０によるプログラムに従う処理によって実現した構成各部の少なくとも一部をハードウェアによって構成することとしても良いし、あるいは全ての構成部分をハードウェアによって構成することとしても良い。
【００７５】
以上説明したように、本実施形態に係る光ピックアップ装置によると、第１の発散角調整素子Ｍ１を用いて、第１の半導体レーザ５３から出射される光束のＸＺ面内における発散角θ１Ｚを（θ１Ｙ／θ１Ｚ）倍（＞１）に拡大しているために、第１の半導体レーザ５３から出射される光束のうち対物レンズ６０に取り込まれる光束は、Ｘ軸方向に関してもほぼリム強度＝３０％となる。従って、ＤＶＤに最適な光スポットを記録面に形成することが可能となる。
【００７６】
また、本実施形態によると、第２の発散角調整素子Ｍ２を用いて、第２の半導体レーザ５４から出射される光束のＹＺ面内における発散角θ２Ｙを（θ２Ｚ／θ２Ｙ）倍（＜１）に縮小しているために、第２の半導体レーザ５４から出射される光束のうち対物レンズ６０に取り込まれる光束は、Ｙ軸方向に関してもほぼリム強度＝１５％となる。従って、第２の半導体レーザ５４から出射される光束の大部分が対物レンズ６０に取り込まれることとなり、光利用効率を向上させることが可能となる。このことから、ＣＤに最適な光スポットを記録面に形成することが可能となり、アクセス速度の高速化に対応することができる。
【００７７】
すなわち、本実施形態によると、カップリングレンズ５２に入射される光束は、その波長に最適な光強度分布を有しているために、対物レンズ６０に取り込まれる光束は、その波長に最適なリム強度を確保することができる。従って、その結果として大型化及び高コスト化を招くことなく、複数種類の情報記録媒体に対応可能で、各情報記録媒体に最適な光スポットを記録面に形成することができる。
【００７８】
また、本実施形態によると、カップリングレンズ５２を透過した光束は、その光強度分布がほぼ円形状となるために、光束をほぼ理想とするビーム径に絞ることが可能となり、光利用効率を更に向上させることができる。
【００７９】
また、本実施形態によると、ホログラムとカップリングレンズとの間に第１の発散角調整素子及び第２の発散角調整素子が配置されているために、ホログラムで回折された戻り光束が第１の発散角調整素子及び第２の発散角調整素子で干渉されることを防止できる。従って、受光器から出力される信号を安定させることが可能となる。
【００８０】
また、本実施形態に係る光ディスク装置によると、ＤＶＤ及びＣＤいずれに対しても、それぞれに最適な光スポットを記録面に形成することができるため、ＤＶＤ及びＣＤいずれにも対応可能で、正確な情報の記録及び再生を安定して行うことが可能となる。さらに、光ピックアップ装置２３の小型化によって、光ディスク装置自体の小型化及び消費電力の低減も促進することができ、例えば、携帯用として用いられる場合には、持ち運びが容易となり、さらに長時間の使用が可能となる。
【００８１】
なお、上記実施形態では、第１の発散角調整素子Ｍ１と第２の発散角調整素子Ｍ２とが個別に配置される場合について説明したが、これに限らず、第１の発散角調整素子Ｍ１と第２の発散角調整素子Ｍ２とが一体化されていても良い。これにより、組み付け時の部品点数が減少し、組み付け作業及び調整作業を簡素化することができ、作業コストを低減することが可能となる。
【００８２】
また、上記実施形態では、第１の発散角調整素子Ｍ１が光源側に配置される場合について説明したが、これに限らず、第２の発散角調整素子Ｍ２が光源側に配置されても良い。
【００８３】
また、上記実施形態では、発散角を変更するための光学素子として波長選択性を有する光学素子（第１の発散角調整素子Ｍ１、第２の発散角調整素子Ｍ２）を用いる場合について説明したが、本発明がこれに限定されるものではない。例えば図１０（Ａ）に示されるように、ＸＺ面内における発散角θ１Ｚを（θ１Ｙ／θ１Ｚ）倍（＞１）に変更する第１のレンズＬ１を第１の半導体レーザ５３の−Ｚ側に配置し、例えば図１０（Ｂ）に示されるように、ＹＺ面内における発散角θ２Ｙを（θ２Ｚ／θ２Ｙ）倍（＜１）に変更する第２のレンズＬ２を第２の半導体レーザ５４の−Ｚ側に配置しても良い。そして、この場合には、一例として図１１に示されるように、第１のレンズＬ１及び第２のレンズＬ２は、それぞれ受発光モジュールＬＭ１内に実装されても良い。
【００８４】
また、第１の発散角調整素子Ｍ１及び第２の発散角調整素子Ｍ２の代わりに、一例として図１２に示されるように、印加電圧によって発散角の調整量を制御することが可能な第３の発散角調整素子Ｍ３を用いても良い。ここでは、光ディスクがＤＶＤの場合には、一例として図１３（Ａ）に示されるように、ＣＰＵ４０の指示により、ドライバ２７を介して電圧Ｖ１が第３の発散角調整素子Ｍ３に印加され、ＸＺ面内における発散角θ１Ｚが（θ１Ｙ／θ１Ｚ）倍（＞１）に拡大される。一方、光ディスクがＣＤの場合には、一例として図１３（Ｂ）に示されるように、ＣＰＵ４０の指示により、ドライバ２７を介して電圧Ｖ２が第３の発散角調整素子Ｍ３に印加され、ＹＺ面内における発散角θ２Ｙが（θ２Ｚ／θ２Ｙ）倍（＜１）に縮小される。なお、第３の発散角調整素子Ｍ３としては、いわゆる液晶レンズ（例えば特開平５−５４４１４号公報参照）などを用いることができる。
【００８５】
また、上記実施形態では、第１の発散角調整素子Ｍ１がない場合に、第１の半導体レーザ５３から出射される光束のうち、対物レンズ６０に取り込まれる光束におけるＹ軸方向のリム強度が約３０％の場合について説明したが、これに限らず、例えばＹ軸方向のリム強度が３０％より小さくても良い。但し、その場合には、Ｙ軸方向及びＸ軸方向に関してほぼリム強度＝３０％となるように、第１の発散角調整素子Ｍ１の代わりに、第１の半導体レーザ５３から出射される光束のＹＺ面における発散角θ１Ｙ及びＸＺ面における発散角θ１Ｚの両方を大きくする作用を有する光学素子が用いられることとなる。
【００８６】
同様に、上記実施形態では、第２の発散角調整素子Ｍ２がない場合に、第２の半導体レーザ５４から出射される光束のうち、対物レンズ６０に取り込まれる光束におけるＸ軸方向のリム強度が約１５％の場合について説明したが、これに限らず、例えばＸ軸方向のリム強度が１５％より大きくても良い。但し、その場合には、Ｙ軸方向及びＸ軸方向に関してほぼリム強度＝１５％となるように、第２の発散角調整素子Ｍ２の代わりに、第２の半導体レーザ５４から出射される光束のＹＺ面における発散角θ２Ｙ及びＸＺ面における発散角θ２Ｚの両方を小さくする作用を有する光学素子が用いられることとなる。
【００８７】
また、上記実施形態では、第１の出射光束の発散角を大きくする第１の発散角調整素子Ｍ１と第２の出射光束の発散角を小さくする第２の発散角調整素子Ｍ２とが用いられる場合について説明したが、本発明がこれに限定されるものではない。例えば第１の出射光束に最適なカップリングレンズが用いられる場合には、第１の発散角調整素子Ｍ１は不要である。なお、この場合には、第２の出射光束に対しては、その発散角の調整量が大きくなるために、第２の発散角調整素子とは異なる光学素子が用いられることとなる。また、例えば第２の出射光束に最適なカップリングレンズが用いられる場合には、第２の発散角調整素子Ｍ２は不要である。なお、この場合には、第１の出射光束に対しては、その発散角の調整量が大きくなるために、第１の発散角調整素子Ｍ１とは異なる光学素子が用いられることとなる。
【００８８】
また、上記実施形態では、各半導体レーザから出射される光束の発散角が調整されてカップリングレンズに入射する場合について説明したが、各半導体レーザから出射される光束が、上記（４）式を満足している場合には、発散角を調整しなくても良い。すなわち、第１の発散角調整素子Ｍ１及び第２の発散角調整素子Ｍ２はなくても良い。なお、この場合であっても、リム強度が理想とする値から大きくずれているときには、発散角を調整しても良い。
【００８９】
また、上記実施形態では、光源から出射される光束の波長が２種類の場合について説明したが、本発明がこれに限定されるものではない。
【００９０】
なお、上記実施形態では、波長が６６０ｎｍの光束を出射する光源と波長が７８５ｎｍの光束を出射する光源とを備える場合について説明したが、本発明がこれに限定されるものではない。例えばいずれかの光源の代わりに、波長が４０５ｎｍの光束を出射する光源を備えても良い。
【００９１】
また、上記実施形態では、戻り光束を分岐するための分岐光学素子としてホログラムを用いる場合について説明したが、これに限らず、例えば偏光ホログラムを用いても良い。これにより、各半導体レーザから出射される光束は、その光量がほとんど低下することなくカップリングレンズ５２に入射されることとなる。従って、光ディスク１５への高速アクセスが可能となる。また、受光器５９での受光量が増加するために、受光器５９を構成する各受光素子から出力される信号の信号レベル及びＳ／Ｎ比を向上させることができる。なお、この場合には、例えばλ／４板のような光学的位相差を付与するための位相差板がカップリングレンズ５２と対物レンズ６０との間に配置される。また、ホログラムの代わりにビームスプリッタを用いても良い。
【００９２】
また、上記実施形態では、発光部ＥＬと受光部ＲＬとが一体化した場合について説明したが、これに限らず、発光部ＥＬと受光部ＲＬとがそれぞれ個別に配置されていても良い。
【００９３】
また、上記実施形態では、各半導体レーザが互いに近接して配置される場合について説明したが、本発明がこれに限定されるものではない。
【００９４】
また、上記実施形態では、光源から出射される光束の形状が楕円形の光強度分布を持つ発散光である場合について説明したが、これに限らず、光源から出射される光束の形状がほぼ円形の光強度分布を持つ発散光であっても良い。
【００９５】
また、上記実施形態では、光ディスクがＤＶＤの場合には、目標とするリム強度が３０％、光ディスクがＣＤの場合には、目標とするリム強度が１５％の場合について説明したが、本発明がこれに限定されるものではない。なお、リム強度は１０％以上で、かつ７０％以下であることが望ましい。これは、リム強度が７０％を超えると、必要な光量を確保することが困難となるためである。また、１０％未満のリム強度とするにはカップリングレンズの開口数を大きくする必要があり、コストアップを招くためである。
【００９６】
また、上記実施形態では、各半導体レーザから出射された光束は、その光強度分布がほぼ円形形状となるように発散角が調整されてカップリングレンズに入射する場合について説明したが、これに限定されるものではない。
【００９７】
また、上記実施形態では、ホログラム６１が受発光モジュールの構成部品の一つである場合について説明したが、これに限らず、ホログラム６１を受発光モジュールと分離して配置しても良い。
【００９８】
【発明の効果】
以上説明したように、本発明に係る光ピックアップ装置によれば、大型化及び高コスト化を招くことなく、複数種類の情報記録媒体に対応可能で、各情報記録媒体に最適な光スポットを形成することができるという効果がある。
【００９９】
また、本発明に係る光ディスク装置によれば、複数種類の情報記録媒体に対応可能で、高速度でのアクセスを安定して行うことができるという効果がある。
【図面の簡単な説明】
【図１】本発明の一実施形態の光ディスク装置の構成を示すブロック図である。
【図２】図２（Ａ）は、図１の光ピックアップ装置における光学系の概略構成を示す図であり、図２（Ｂ）は、図２（Ａ）の受発光モジュールの詳細構成を説明するための図である。
【図３】各半導体レーザから出射される光束の形状を説明するための図である。
【図４】図４（Ａ）及び図４（Ｂ）は、それぞれ第１の半導体レーザから出射される光束の発散角を説明するための図である。
【図５】図５（Ａ）及び図５（Ｂ）は、それぞれ第２の半導体レーザから出射される光束の発散角を説明するための図である。
【図６】カップリングレンズに入射する光束の発散角とカップリングレンズを透過した光束のビーム径との関係を説明するための図である。
【図７】カップリングレンズに入射する光束の発散角とリム強度との関係を説明するための図である。
【図８】図８（Ａ）は、発散角を調整しない場合に、第１の半導体レーザから出射される光束のうち対物レンズに取り込まれる光束のリム強度を説明するための図であり、図８（Ｂ）は、発散角を調整しない場合に、第２の半導体レーザから出射される光束のうち対物レンズに取り込まれる光束のリム強度を説明するための図である。
【図９】図９（Ａ）は、第１の半導体レーザから出射される光束の発散角を第１の発散角調整素子を用いて拡大する例を説明するための図であり、図９（Ｂ）は、第２の半導体レーザから出射される光束の発散角を第２の発散角調整素子を用いて縮小する例を説明するための図である。
【図１０】図１０（Ａ）は、第１の半導体レーザから出射される光束の発散角を第１のレンズを用いて拡大する例を説明するための図であり、図１０（Ｂ）は、第２の半導体レーザから出射される光束の発散角を第２のレンズを用いて縮小する例を説明するための図である。
【図１１】第１のレンズ及び第２のレンズが、受発光モジュール内に実装された例を説明するための図である。
【図１２】選択された半導体レーザに応じて発散角の調整作用を最適化することができる第３の発散角調整素子が用いられた光ピックアップ装置２３’を説明するための図である。
【図１３】図１３（Ａ）は、第１の半導体レーザから出射される光束の発散角を第３の発散角調整素子を用いて拡大する例を説明するための図であり、図１３（Ｂ）は、第２の半導体レーザから出射される光束の発散角を第３の発散角調整素子を用いて縮小する例を説明するための図である。
【図１４】半導体レーザから出射される光束の強度分布と活性層との位置関係を説明するための図である。
【図１５】半導体レーザから出射される光束におけるリム強度＝５０％を説明するための図である。
【図１６】半導体レーザから出射される光束の光利用効率とリム強度との関係を説明するための図である。
【符号の説明】
１５…光ディスク（情報記録媒体）、２０…光ディスク装置、２３…光ピックアップ装置、２８…再生信号処理回路（処理装置の一部）、４０…ＣＰＵ（処理装置の一部）、５２…カップリングレンズ（光学素子）、５３…第１の半導体レーザ（光源）、５４…第２の半導体レーザ（光源）、５９…受光器（光検出器）、６０…対物レンズ、Ｌ１…第１のレンズ（調整光学素子、第１の調整光学素子）、Ｌ２…第２のレンズ（調整光学素子、第２の調整光学素子）、Ｍ１…第１の発散角調整素子（調整光学素子、第１の調整光学素子）、Ｍ２…第２の発散角調整素子（調整光学素子、第２の調整光学素子）、Ｍ３…第３の発散角調整素子（調整光学素子）。
【図１】
2004095039.tif 000003
【図２】
2004095039.tif 000004
【図３】
2004095039.tif 000005
【図４】
2004095039.tif 000006
【図５】
2004095039.tif 000007
【図６】
2004095039.tif 000008
【図７】
2004095039.tif 000009
【図８】
2004095039.tif 000010
【図９】
2004095039.tif 000011
【図１０】
2004095039.tif 000012
【図１１】
2004095039.tif 000013
【図１２】
2004095039.tif 000014
【図１３】
2004095039.tif 000015
【図１４】
2004095039.tif 000016
【図１５】
2004095039.tif 000017
【図１６】
2004095039.tif 000018